(57)【要約】【課題】シートクッションに着座者の荷重が左右で偏って掛けられても着座者の姿勢を崩しにくくすること。【解決手段】シートクッション３の前後のフレーム（フロントパネル１２とリヤパネル１３）間に架橋されて着座者の荷重を弾性的に支持する左右一対のフォームドワイヤ１５Ａ，１５Ｂを有するシート１であり、各ワイヤ１５Ａ，１５Ｂ間に跨って左右対称な状態に取り付けられると共にリヤパネル１３に対して幅方向に延びる軸部１６Ｃの回りに回転可能に連結されたスタビライザ１６を有する。各ワイヤ１５Ａ，１５Ｂの双方が着座者の荷重により互いに左右対称な状態に押し撓まされる時にはスタビライザ１６が双方の動きに追従するように回転するが、各ワイヤ１５Ａ，１５Ｂのうちの一方が他方に対して偏って押し撓まされる時にはこの一方の動きに追従するスタビライザ１６の回転により他方に荷重伝達がなされて他方も一方につられて押し撓まされる。【選択図】図５
2018122770.tif 000002
【特許請求の範囲】
【請求項１】
シートクッションの骨格を成すクッションフレームの前後のフレーム間に架橋されて着座者の荷重を弾性的に支持する左右一対のフォームドワイヤを有する乗物用シートであって、
前記左右一対のフォームドワイヤ間に跨って左右対称な状態に取り付けられると共に当該各取付位置から前後方向に外れた位置で前記クッションフレームに対して幅方向に延びる軸線回りに回転可能となる状態に連結されたスタビライザを有し、
前記左右一対のフォームドワイヤの双方が着座者の荷重により互いに左右対称な状態に押し撓まされる時には前記スタビライザが前記双方の動きに追従して撓むことなく前記クッションフレームに対して回転するが、前記左右一対のフォームドワイヤのうちの一方が他方に対して偏って押し撓まされる時には該一方の動きに追従する前記スタビライザの回転により前記他方に荷重伝達がなされて該他方も前記一方につられて押し撓まされる乗物用シート。
【発明の詳細な説明】
【技術分野】
【０００１】
本発明は、乗物用シートに関する。詳しくは、シートクッションの骨格を成すクッションフレームの前後のフレーム間に架橋されて着座者の荷重を弾性的に支持する左右一対のフォームドワイヤを有する乗物用シートに関する。
【背景技術】
【０００２】
従来、車両用シートにおいて、シートクッションの骨格を成す枠状のクッションフレーム内に着座者の荷重を弾性的に支持可能な複数本のフォームドワイヤが架橋された構成が知られている（特許文献１）。上述した各フォームドワイヤは、クッションフレームの前後の枠部間に架橋される形でシート幅方向に複数本並んで設けられている。これらフォームドワイヤの間には、各々を互いに一体的な状態に接続するスタビライザバーが架橋されている。上記スタビライザバーにより、各フォームドワイヤは、そのうちのいずれかに偏って荷重が入力されても全体に荷重が伝達されて受け止められるようになっている。
【先行技術文献】
【特許文献】
【０００３】
【特許文献１】特開２０１６−９４０７１号公報
【発明の概要】
【発明が解決しようとする課題】
【０００４】
上記従来技術では、各フォームドワイヤ間がスタビライザバーにより接続されていても、左右どちらか一方に偏った荷重が掛けられた場合には、全体が斜めに傾くような撓み形態となる。そのため、車両のコーナリング時等の左右で偏った荷重が掛けられる際に、着座者の姿勢が崩れやすくなってしまう。本発明は、上記問題を解決するものとして創案されたものであって、本発明が解決しようとする課題は、シートクッションに着座者の荷重が左右で偏って掛けられても着座者の姿勢を崩しにくくすることにある。
【課題を解決するための手段】
【０００５】
上記課題を解決するために、本発明の乗物用シートは次の手段をとる。
【０００６】
第１の発明は、シートクッションの骨格を成すクッションフレームの前後のフレーム間に架橋されて着座者の荷重を弾性的に支持する左右一対のフォームドワイヤを有する乗物用シートである。この乗物用シートは、左右一対のフォームドワイヤ間に跨って左右対称な状態に取り付けられると共に各取付位置から前後方向に外れた位置でクッションフレームに対して幅方向に延びる軸線回りに回転可能となる状態に連結されたスタビライザを有する。左右一対のフォームドワイヤの双方が着座者の荷重により互いに左右対称な状態に押し撓まされる時にはスタビライザが双方の動きに追従して撓むことなくクッションフレームに対して回転するが、左右一対のフォームドワイヤのうちの一方が他方に対して偏って押し撓まされる時にはこの一方の動きに追従するスタビライザの回転により他方に荷重伝達がなされて他方も一方につられて押し撓まされる。
【０００７】
この第１の発明によれば、シートクッションに着座者の荷重が左右どちらか一方に偏って掛けられても、スタビライザにより、他方にも荷重が掛けられたかのように、双方のフォームドワイヤを左右でバランス良く下方に押し撓ませることができる。それにより、着座者の姿勢を崩しにくくすることができる。
【図面の簡単な説明】
【０００８】
【図１】実施例１の乗物用シートの概略構成を表した斜視図である。
【図２】各フォームドワイヤが通常の着座荷重によって押し撓まされた状態を表した斜視図である。
【図３】図２のIII-III線断面図である。
【図４】図２のIV-IV線断面図である。
【図５】一方のフォームドワイヤに偏った着座荷重が掛けられた状態を表した斜視図である。
【図６】図５のVI-VI線断面図である。
【図７】図５のVII-VII線断面図である。
【発明を実施するための形態】
【０００９】
以下に、本発明を実施するための形態について、図面を用いて説明する。
【実施例１】
【００１０】
《シート１の概略構成について》
始めに、実施例１のシート１（乗物用シート）の構成について、図１〜図７を用いて説明する。なお、以下の説明において、前後上下左右等の各方向を示す場合には、各図中に示されたそれぞれの方向を指すものとする。また、「シート幅方向」と示す場合には、シート１の左右方向を指すものとする。
【００１１】
本実施例のシート１は、図１に示すように、自動車の右側座席として構成されており、着座者の背凭れ部となるシートバック２と、着座部となるシートクッション３と、を備えた構成とされている。上述したシートバック２は、その左右両サイドの下端部が、不図示のリクライナを介してシートクッション３の左右両サイドの後端部に連結されて支持されている。シートクッション３は、車両のフロア上に、図示しない左右一対のスライドレールを間に介して連結された状態とされている。
【００１２】
上述したシートクッション３は、その骨格を成す金属製のクッションフレーム１０と、クッションフレーム１０の上部にセットされて着座者の荷重を弾性的に受け止める不図示の発泡ウレタン製のクッションパッドと、クッションパッドの表面全体に被せ付けられてシートクッション３の意匠面を構成する不図示のファブリック製のクッションカバーと、によって概略構成されている。
【００１３】
《クッションフレーム１０の構成について》
上述したクッションフレーム１０は、シートクッション３の左右の側部骨格を成す一対のサイドフレーム１１と、各サイドフレーム１１の前部間に上側から架橋された前部骨格を成すフロントパネル１２と、各サイドフレーム１１の後部間に上側から架橋された後部骨格を成すリヤパネル１３と、リヤパネル１３の下側で各サイドフレーム１１の後部間に差し込まれた状態に架橋された後部骨格を成すリヤパイプ１４と、によって、平面視が略四角枠状となる形に組まれた構成とされている。そして、上述したクッションフレーム１０のフロントパネル１２とリヤパネル１３との間には、その上部にセットされる不図示のクッションパッドをシート幅方向の複数箇所において下側から支えるように機能する複数本のフォームドワイヤ１５Ａ，１５Ｂが架橋されている。
【００１４】
《各フォームドワイヤ１５Ａ，１５Ｂの構成について》
上述した各フォームドワイヤ１５Ａ，１５Ｂは、それぞれ、上述したクッションフレーム１０のフロントパネル１２とリヤパネル１３との間に前後方向に架橋される形でシート幅方向に並んで設けられた状態とされている。詳しくは、上述した各フォームドワイヤ１５Ａ，１５Ｂは、それぞれがシート幅方向に波打ち状に折り曲げられて着座者の荷重を表面で受けるように成形された丸棒状の加工ばねとして構成されている。
【００１５】
各フォームドワイヤ１５Ａ，１５Ｂは、それぞれ、互いに左右対称向きに横並び配置された２本１組の構成により着座者の荷重を右側領域と左側領域とに分かれて支える計４本のワイヤ材から成る構成とされている。各フォームドワイヤ１５Ａ，１５Ｂは、それぞれの前端が上述したフロントパネル１２に切り起こされて形成された対応する各切起し片１２Ａに引掛けられて固定され、それぞれの後端が上述したリヤパネル１３に切り起こされて形成された対応する各切起し片１３Ａに引掛けられて固定された状態として設けられている。
【００１６】
上記構成により、各フォームドワイヤ１５Ａ，１５Ｂは、図２〜図４に示すように、シートクッション３に着座者の荷重が掛けられることにより、上述した不図示のクッションパッドを介して着座者の尻部や大腿部等の身体部位からの荷重作用を受けて、それぞれが下側に弓なりに湾曲する形に押し撓まされるようになっている。詳しくは、上述した各フォームドワイヤ１５Ａ，１５Ｂは、シートクッション３に対して着座者の荷重が左右で略均等に掛けられる時には、それぞれが左右で略対称な形に押し撓まされて、着座者の荷重を下側から弾性的に支持するようになっている。
【００１７】
しかし、上述した各フォームドワイヤ１５Ａ，１５Ｂは、それら自体の構成だけでは、車両のコーナリング時等の着座者の荷重が左右どちらか一方に偏って掛けられる時に、その偏って掛けられた一方が下方に大きく押し撓まされるのに対して、他方には着座者の荷重が直接掛けられないため、一方が下がり気味となる傾いた支持態様となって着座者の姿勢を崩させてしまうおそれがある。そこで、図１〜図２及び図５に示すように、上記のような偏りを抑えるために、上述した各フォームドワイヤ１５Ａ，１５Ｂの間には、上述したクッションフレーム１０のリヤパネル１３との間に、各フォームドワイヤ１５Ａ，１５Ｂの撓みを左右で同期させるように作用するスタビライザ１６が跨った状態に設けられている。
【００１８】
《スタビライザ１６の構成について》
上述したスタビライザ１６は、平面視が略Ｕ字状となる形に折り曲げられた丸棒部材により形成されている。詳しくは、上述したスタビライザ１６は、その略Ｕ字状に折り曲げられた先の左右の前端部分に、互いの接近する側となるシート幅方向の内側に向かって真っ直ぐ延びる形に折り曲げられた取付部１６Ａ，１６Ｂが形成された形状とされている。そして、上記スタビライザ１６は、その略Ｕ字状に折り曲げられた後側の繋ぎ部分が、シート幅方向に真っ直ぐに延びる軸部１６Ｃとして形成された構成とされている。
【００１９】
上述したスタビライザ１６は、図１に示すように、その後側の軸部１６Ｃが、上述したクッションフレーム１０のリヤパネル１３の下面部に対して、その左右２箇所の位置で取付ブラケットＢを介して軸回転可能にヒンジ連結された状態とされている。そして、上述したスタビライザ１６は、その前側の左右の取付部１６Ａ，１６Ｂが、それぞれ、上述した左右の各フォームドワイヤ１５Ａ，１５Ｂを構成する２本１組の各ワイヤ材のシート幅方向に延びる横片の下部間に跨って下側から個々に取付ブラケットＢを介して軸回転可能にヒンジ連結された状態とされている。
【００２０】
上述した各取付ブラケットＢは、図４に示すように、上述した各フォームドワイヤ１５Ａ，１５Ｂの横片とスタビライザ１６の各取付部１６Ａ，１６Ｂとをそれぞれ内部に囲い込む形に閉じ込めて、両者を互いに相対回転させられる状態に結束した状態として保持する構成となっている。詳しくは、上述した各取付ブラケットＢは、上述したスタビライザ１６の各取付部１６Ａ，１６Ｂとの間にゴムＢｒを介在させて、互いの当たりが金属同士の当たりとならないように緩衝された状態に取り付けられた状態とされている。
【００２１】
各ゴムＢｒは、上述したスタビライザ１６の各取付部１６Ａ，１６Ｂと各フォームドワイヤ１５Ａ，１５Ｂの横片との間にも介在する形となっており、これらの当たりも金属同士の当たりとならないように緩衝している。また、上述したスタビライザ１６の軸部１６Ｃをリヤパネル１３の下面部に対して軸回転可能に取り付ける各取付ブラケットＢも、上記と同じように、それぞれゴムＢｒを介してスタビライザ１６の軸部１６Ｃをリヤパネル１３の下面部に対して金属同士の当たりとならないように緩衝した状態に取り付けた状態となっている。
【００２２】
上記構成のスタビライザ１６は、図１に示すように、シートクッション３に着座者の荷重が掛けられる前の常時は、上述した各フォームドワイヤ１５Ａ，１５Ｂの弾性力により、その前端側の各取付部１６Ａ，１６Ｂが各フォームドワイヤ１５Ａ，１５Ｂにより吊持される形で互いに左右対称な高さ位置状態に保持されるようになっている。そして、上記スタビライザ１６は、図２〜図４に示すように、シートクッション３に着座者の荷重が左右で略均等に掛けられることにより、その前端側の各取付部１６Ａ，１６Ｂが各フォームドワイヤ１５Ａ，１５Ｂにより押圧されて、その後端側の軸部１６Ｃを中心に前回転する形で各フォームドワイヤ１５Ａ，１５Ｂの撓みに追従するようになっている。上記回転により、スタビライザ１６は、各フォームドワイヤ１５Ａ，１５Ｂの撓みを阻害することなく円滑に逃がすことができるようになっている。
【００２３】
しかし、上述したスタビライザ１６は、図５に示すように、シートクッション３に着座者の荷重が一方（図示では右方）に偏って掛けられると、その右側の取付部１６Ａが同側のフォームドワイヤ１５Ａにより押圧されてその後端側の軸部１６Ｃを中心に前回転する一方で、他方（図示では左方）の取付部１６Ｂは同側のフォームドワイヤ１５Ｂからは押圧されないため、左右の取付部１６Ａ，１６Ｂの間に捩りの負荷が作用する状態となる。
【００２４】
しかしその場合には、図６に示すように、上述したスタビライザ１６は、上記下側に押圧された右側の取付部１６Ａに掛けられる負荷が、スタビライザ１６のねじり剛性によって左側の取付部１６Ｂにも伝達されて、左側の取付部１６Ｂにより同側のフォームドワイヤ１５Ｂを下側に引き込むように撓ませるようになっている（図７参照）。それにより、図５〜図６に示すように、左側のフォームドワイヤ１５Ｂも右側のフォームドワイヤ１５Ａの撓みにつられる形で下方に押し撓まされて、双方のフォームドワイヤ１５Ａ，１５Ｂを左右でバランス良く下方に押し撓ませた状態とすることができる。その結果、着座者の姿勢を崩しにくい状態とすることができる。
【００２５】
《まとめ》
以上をまとめると、本実施例のシート１は次のような構成となっている。すなわち、シートクッション（シートクッション３）の骨格を成すクッションフレーム（クッションフレーム１０）の前後のフレーム（フロントパネル１２とリヤパネル１３）間に架橋されて着座者の荷重を弾性的に支持する左右一対のフォームドワイヤ（フォームドワイヤ１５Ａ，１５Ｂ）を有する乗物用シート（シート１）である。この乗物用シート（シート１）は、左右一対のフォームドワイヤ（フォームドワイヤ１５Ａ，１５Ｂ）間に跨って左右対称な状態に取り付けられると共に各取付位置から前後方向に外れた位置でクッションフレーム（クッションフレーム１０）に対して幅方向に延びる軸線（軸部１６Ｃ）回りに回転可能となる状態に連結されたスタビライザ（スタビライザ１６）を有する。
【００２６】
左右一対のフォームドワイヤ（フォームドワイヤ１５Ａ，１５Ｂ）の双方が着座者の荷重により互いに左右対称な状態に押し撓まされる時にはスタビライザ（スタビライザ１６）が双方の動きに追従して撓むことなくクッションフレーム（クッションフレーム１０）に対して回転するが、左右一対のフォームドワイヤ（フォームドワイヤ１５Ａ，１５Ｂ）のうちの一方が他方に対して偏って押し撓まされる時にはこの一方の動きに追従するスタビライザ（スタビライザ１６）の回転により他方に荷重伝達がなされて他方も一方につられて押し撓まされる。
【００２７】
このような構成とされていることにより、シートクッション（シートクッション３）に着座者の荷重が左右どちらか一方に偏って掛けられても、スタビライザ（スタビライザ１６）により、他方にも荷重が掛けられたかのように、双方のフォームドワイヤ（フォームドワイヤ１５Ａ，１５Ｂ）を左右でバランス良く下方に押し撓ませることができる。それにより、着座者の姿勢を崩しにくくすることができる。
【００２８】
《その他の実施例について》
以上、本発明の実施形態を１つの実施例を用いて説明したが、本発明は上記実施例のほか各種の形態で実施することができるものである。例えば、本発明の「乗物用シート」は、自動車の右側座席以外のシートの他、鉄道等の自動車以外の車両に適用されるシートや、航空機、船舶等の様々な乗物用に供されるシートにも広く適用することができるものである。
【００２９】
また、スタビライザは、左右一対のフォームドワイヤ間に跨って左右対称な状態に取り付けられると共に各取付位置から前後方向に外れた位置でクッションフレームに対して幅方向に延びる軸線回りに回転可能となる状態に連結される構成であればよい。例えば、スタビライザは、その左右両端部がシートクッションの各サイドフレームに対してシート幅方向に延びる軸線まわりに回転可能となる状態に連結されていて、その両端の間の中間部が軸線から前側に偏心したようなクランク状の形に形成されて各フォームドワイヤに跨って取り付けられる構成とされたものであってもよい。
【００３０】
このような構成であっても、左右一対のフォームドワイヤの双方が着座者の荷重により互いに左右対称な状態に押し撓まされる時にはスタビライザが双方の動きに追従して撓むことなくクッションフレームに対して回転するが、左右一対のフォームドワイヤのうちの一方が他方に対して偏って押し撓まされる時には上記一方の動きに追従するスタビライザの回転により他方に荷重伝達がなされて他方も一方につられて押し撓まされる構成とすることができる。なお、スタビライザは、クッションフレームの後側のフレームやサイドフレームの他、前側のフレームに対して回転可能に連結される構成であってもよい。
【００３１】
また、スタビライザは、上記実施例で示したような形状とされている場合に、各フォームドワイヤ１５Ａ，１５Ｂに取り付けられる前端側の各取付部１６Ａ，１６Ｂが互いにひとつに繋がった形状とされたものであってもよい。このような構成であっても、上記実施例で示した構成と同じような構成をとることができる。但し、その場合には、上記実施例で示した構成と比べると、左右のフォームドワイヤがスタビライザを介して互いの一体感がより強められる構成となるため、左右のフォームドワイヤ間の個々の独立した弾性感が損なわれやすい構成となることに留意が必要となる。
【符号の説明】
【００３２】
１      シート（乗物用シート）
２      シートバック
３      シートクッション
１０    クッションフレーム
１１    サイドフレーム
１２    フロントパネル
１２Ａ  切起し片
１３    リヤパネル
１３Ａ  切起し片
１４    リヤパイプ
１５Ａ，１５Ｂ  フォームドワイヤ
１６    スタビライザ
１６Ａ，１６Ｂ  取付部
１６Ｃ  軸部
Ｂ      取付ブラケット
Ｂｒ    ゴム
【図１】
2018122770.tif 000003
【図２】
2018122770.tif 000004
【図３】
2018122770.tif 000005
【図４】
2018122770.tif 000006
【図５】
2018122770.tif 000007
【図６】
2018122770.tif 000008
【図７】
2018122770.tif 000009